(57)【要約】【課題】  導電膜が矩形以外の形状であっても略均一な発熱分布になる透光性ヒーターを提供する。【解決手段】  透光性ヒーター１１は、正面視で矩形以外の形状である透光性基板１２と、透光性基板１２に形成された導電膜１３と、導電膜１３に導通された端子部１４，１５とを備えている。導電膜１３は、互いに平行でない複数の第一のスリット１３ａ１〜１３ａｎからなる第一のスリット群と、互いに平行な複数の第二のスリット１３ｂ１〜１３ｂｎからなる第二のスリット群と、を有する。第一のスリット１３ａ１〜１３ａｎの一端は、端子部１４，１５の近傍に位置している。第一のスリット１３ａ１〜１３ａｎの他端は、第二のスリット１３ｂ１〜１３ｂｎの一端の近傍に位置している。【選択図】  図１
2007311047.tif 000002
【特許請求の範囲】
【請求項１】
透光性基板に導電膜を形成してなる透光性ヒーターにおいて、前記透光性基板は正面視で矩形以外の形状であると共に、少なくとも、前記導電膜は互いに平行でない複数のスリットを有することを特徴とする透光性ヒーター。
【請求項２】
正面視で矩形以外の形状である透光性基板と、前記透光性基板に形成された導電膜と、前記導電膜に導通された端子部と、を備えた透光性ヒーターにおいて、
前記導電膜は、少なくとも、互いに平行でない複数の第一のスリットからなる第一のスリット群と、互いに平行な複数の第二のスリットからなる第二のスリット群と、を有することを特徴とする透光性ヒーター。
【請求項３】
前記第一のスリットの一端は、前記端子部の近傍に位置していることを特徴とする請求項２に記載の透光性ヒーター。
【請求項４】
前記第一のスリットの他端は、前記第二のスリットの一端の近傍に位置していることを特徴とする請求項３に記載の透光性ヒーター
【発明の詳細な説明】
【技術分野】
【０００１】
本発明は、透光性ヒーターに関するものであり、特に液晶表示パネルを加熱する透光性ヒーターに関するものである。
【背景技術】
【０００２】
従来より、液晶表示パネルを加熱する透光性ヒーターが種々提案されており、例えば、特許文献１に開示されている。透光性ヒーター１は、ガラス基板等の透光性基板２に、ＩＴＯ（Indium Tin Oxide）からなる導電膜３と、この導電膜３に電力を供給する陽極端子部４及び陰極端子部５とを形成したものである。低温時には、透光性ヒーター１の陽極端子部４及び陰極端子部５から電力が供給され、導電膜３が発熱して、液晶表示パネルが保温される。
【特許文献１】特開２００６−４７４５５号公報
【０００３】
一般的に、導電膜３は矩形となっており、陽極端子部４及び陰極端子部５は、導電膜３の左端及び右端に各々形成されている（図３参照）。ただし、透光性ヒーター１の近傍に他の構成部品を配置するため、例外的に、透光性基板２が矩形以外の形状、例えば、矩形の右下部分及び左下部分を切除したような六角形状である場合があり、この場合は、導電膜３も六角形状になり、陽極端子部４及び陰極端子部５は、導電膜５の左端及び右端に各々形成される（図４参照）。
【発明の開示】
【発明が解決しようとする課題】
【０００４】
しかしながら、陽極端子部４から供給された電流Ｉは、陰極端子部５に向かって直線的に流れるため、陽極端子部４及び陰極端子部５が形成された上部分１ａに比して、陽極端子部４及び陰極端子部５が形成されていない下部分１ｂの発熱が弱く、透光性ヒーター１の発熱分布が均一でないという問題を有していた。
本発明は、この問題に鑑みなされたものであり、導電膜が矩形以外の形状であっても略均一な発熱分布になる透光性ヒーターを提供するものである。
【課題を解決するための手段】
【０００５】
本発明は、前記課題を解決するため、請求項１に記載したように、透光性基板１２に導電膜１３，２３を形成してなる透光性ヒーター１１，２１において、前記透光性基板１２は正面視で矩形以外の形状であると共に、少なくとも、前記導電膜１３，２３は互いに平行でない複数のスリット１３ａ１〜１３ａｎ，２３ａ１〜２３ａｎを有するものである。
【０００６】
また、本発明は、請求項２に記載したように、正面視で矩形以外の形状である透光性基板１２と、前記透光性基板１２に形成された導電膜１３，２３と、前記導電膜１３，２３に導通された端子部１４，１５と、を備えた透光性ヒーター１１，２１において、前記導電膜１３，２３は、少なくとも、互いに平行でない複数の第一のスリット１３ａ１〜１３ａｎ，２３ａ１〜２３ａｎからなる第一のスリット群と、互いに平行な複数の第二のスリット１３ｂ１〜１３ｂｎ，２３ｂ１〜２３ｂｎからなる第二のスリット群と、を有するものである。
【０００７】
また、本発明は、請求項３に記載したように、前記第一のスリット１３ａ１〜１３ａｎ，２３ａ１〜２３ａｎの一端は、前記端子部１４，１５の近傍に位置しているものである。
【０００８】
また、本発明は、請求項４に記載したように、前記第一のスリット１３ａ１〜１３ａｎ，２３ａ１〜２３ａｎの他端は、前記第二のスリット１３ｂ１〜１３ｂｎ，２３ｂ１〜２３ｂｎの一端の近傍に位置しているものである。
【発明の効果】
【０００９】
端子部から供給された電流は、透光性基板に形成されたスリットに沿って流れるため、透光性ヒーターが略均一な発熱分布になる。
【発明を実施するための最良の形態】
【００１０】
以下、添付図面に基づいて、本発明の一実施形態について説明する。図１は、第一実施形態を示す図である。
【００１１】
１２はガラス基板等の透光性基板であり、この透光性基板１２は、正面視で六角形状になっており、横辺１２ａ，縦辺１２ｂ，傾斜辺１２ｃを有している。１３はＩＴＯ（Indium Tin Oxide）からなる導電膜であり、この導電膜１３は透光性基板１２に形成されている。導電膜１３は、ガラス基板１２と略同形状の正面視で六角形状になっている。陽極端子部１４，陰極端子部１５は、透光性基板１２の縦辺１２ｂに沿うように、導電膜１３の左端及び右端に各々形成され、導電膜１３と導通している。
【００１２】
導電膜１３には、複数の第一のスリット１３ａ１〜１３ａｎからなる第一のスリット群と、複数の第二のスリット１３ｂ１〜１３ｂｎからなる第二のスリット群とが形成されている。第一のスリット１３ａ１〜１３ａｎ及び第二のスリット１３ｂ１〜１３ｂｎは、ＩＴＯが形成されていない部分であり、所定幅を有する直線状になっている。
【００１３】
第一のスリット１３ａ１〜１３ａｎの一端は、陽極端子部１４または陰極端子部１５の近傍に位置している。第一のスリット群は、透光性基板１２の横辺１２ａに平行な第一のスリット１３ａ１と、透光性基板１２の傾斜辺１２ｃに平行な第一のスリット１３ａｎとを含んでいる。第一のスリット群の各第一のスリット１３ａ１〜１３ａｎは互いに平行ではなく、第一のスリット１３ａ１〜１３ａｎの角度は、漸次相違するものになっており、第一のスリット群は、第一のスリット１３ａ１〜１３ａｎの他端が、第一のスリット１３ａ１〜１３ａｎの前記一端よりも広がっている。
【００１４】
第二のスリット１３ｂ１〜１３ｂｎの両端は、所定間隔Ｗを有して、第一のスリット１３ａ１〜１３ａｎの他端の近傍に位置している。各第二のスリット１３ｂ１〜１３ｂｎは、同一の長さで、且つ、互いに平行になっており、透光性基板１２の横辺１２ａに平行になっている。
【００１５】
図２は、第二実施形態を示すものである。第二実施形態は、導電層２３が異なるだけであり、他の構成は第一実施形態と同様であるので、同一の符号を付して、説明を省略する。
【００１６】
導電膜２３には、複数の第一のスリット２３ａ１〜２３ａｎからなる第一のスリット群と、複数の第二のスリット２３ｂ１〜２３ｂｎからなる第二のスリット群と、複数の第三のスリット２３ｃ１〜２３ｃｎからなる第三のスリット群とが形成されている。第一のスリット１３ａ１〜１３ａｎ，第二のスリット１３ｂ１〜１３ｂｎ，第三のスリット２３ｃ１〜２３ｃｎは、所定幅を有する直線状になっている。
【００１７】
第一のスリット２３ａ１〜２３ａｎの一端は、陽極端子部１４または陰極端子部１５の近傍に位置している。第一のスリット群は、透光性基板１２の横辺１２ａに平行な第一のスリット２３ａ１と、透光性基板１２の傾斜辺１２ｃに平行な第一のスリット２３ａｎとを含んでいる。各第一のスリット２３ａ１〜２３ａｎは互いに平行ではなく、第一のスリット２３ａ１〜２３ａｎの角度は、漸次相違するものになっており、第一のスリット群は、第一のスリット２３ａ１〜２３ａｎの他端が、第一のスリット２３ａ１〜２３ａｎの前記一端よりも広がっている。
【００１８】
第二のスリット２３ｂ１〜２３ｂｎの両端は、所定間隔Ｗを有して、第一のスリット２３ａ１〜２３ａｎの他端の近傍に位置している。第二のスリット２３ｂ１〜２３ｂｎは、互いに平行になっている。第三のスリット２３ｃ１〜２３ｃｎは、第一のスリット２３ａ１〜２３ａｎに並設されている。第三のスリット２３ｃ１〜２３ｃｎは、第一のスリット２３ａ１〜２３ａｎよりも短くなっており、隣設された第一のスリット２３ａ１〜２３ａｎと平行になっている。
【００１９】
第一，第二実施形態によれば、陽極端子部１４から供給された電流Ｉが、第一のスリット１３ａ１〜１３ａｎ，２３ａ１〜２３ａｎ，第二のスリット１３ｂ１〜１３ｂｎ，２３ｂ１〜２３ｂｎに沿って、陰極端子部１５に流れ、陽極端子部１４及び陰極端子部１５が形成された上部分１１ａ，１２ａだけでなく、陽極端子部１４及び陰極端子部１５が形成されていない下部分１１ｂにも、電流Ｉが流れるため、透光性ヒーター１１，１２の発熱分布が略均一になる。
【００２０】
なお、第二のスリット１３ｂ１〜１３ｂｎ，２３ｂ１〜２３ｂ，第三のスリット２３ｃ１〜２３ｃｎは無くても良いが、第二のスリット１３ｂ１〜１３ｂｎ，２３ｂ１〜２３ｂ，第三のスリット２３ｃ１〜２３ｃｎを設けることにより、透光性ヒーター１１，１２の発熱分布が、更に均一になる。
【図面の簡単な説明】
【００２１】
【図１】本発明の第一実施形態を示す正面図。
【図２】本発明の第二実施形態を示す正面図。
【図３】従来例を示す正面図。
【図４】他の従来例を示す正面図。
【符号の説明】
【００２２】
１２  透光性基板
１３  導電膜
１３ａ１〜１３ａｎ  第一のスリット
１３ｂ１〜１３ｂｎ  第二のスリット
１４  陽極端子部（端子部）
１５  陰極端子部（端子部）
２３  導電膜
２３ｂ１〜２３ｂｎ  第二のスリット
２３ａ１〜２３ａｎ  第一のスリット
【図１】
2007311047.tif 000003
【図２】
2007311047.tif 000004
【図３】
2007311047.tif 000005
【図４】
2007311047.tif 000006